(57)【要約】   【課題】応募シール等の物理的なシールを用いることなく、商品やサービスの利用に応じた応募を可能とし、また、応募自体や応募の有効期間の管理を容易とする。  【解決手段】  自動販売機は、購入情報に基づいて付加情報を付与する付加情報付与手段と、付与した付加情報を表示することができる表示手段及び表示制御手段を備える。利用者によって商品あるいはサービスが選択され、その商品やサービスの購入操作が行われると、自動販売機は商品やサービスを提供すると共に、この購入操作に伴って付加情報を表示手段に表示する。利用者は、表示手段上に表示された付加情報を取得し、取得した付加情報を用いて、所定の景品や特典サービスの供与を受けるべく応募を行う。  【選択図】  図１
2006277095.tif 000002
【特許請求の範囲】
【請求項１】
表示手段を備えた自動販売機において、
購入情報に基づいて付加情報を付与する付加情報付与手段と、
少なくとも前記付与した付加情報を前記表示手段に表示する表示制御手段とを備えることを特徴とする自動販売機。
【請求項２】
前記付加情報付与手段は、付与する付加情報の種類及び／又は数量を抽選で定める抽選手段を含むことを特徴とする請求項１に記載の自動販売機。
【請求項３】
付加情報の種類、数量、及び抽選条件を含む設定情報を記憶する記憶手段を備え、
前記抽選手段は、購入情報に基づいて、前記記憶手段が記憶する設定情報から、購入した商品又はサービスの購入品に対応して設定された付加情報の種類、数量、及び抽選条件を読み出し、当該抽選条件に基づいて付加情報の種類及び／又は数量を抽選し、
前記付加情報付与手段は、前記抽選した付加情報を付与することを特徴とする、請求項２に記載の自動販売機。
【請求項４】
前記抽選条件は、抽選する付加情報の種類又は種類の組み合わせ、及び／又は、抽選する付加情報の数量を定めることを特徴とする請求項３に記載の自動販売機。
【請求項５】
前記付加情報付与手段又は前記表示制御手段は、付与された付加情報を用いて付加情報画像を生成し、
前記表示制御手段は、前記付加情報画像を前記表示手段に表示することを特徴とする、請求項１乃至４の何れかに記載の自動販売機。
【請求項６】
前記付加情報付与手段又は前記表示制御手段は、複数の付加情報画像を生成し、
前記表示制御手段は、複数の付加情報画像を同時又は順次前記表示手段に表示することを特徴とする請求項５に記載の自動販売機。
【請求項７】
前記表示制御手段は、前記付加情報画像の表示を開始した後、この付加情報画像を所定時間表示し、所定時間経過した後、この付加情報画像の表示を終了することを特徴とする請求項１乃至６に何れかに記載の自動販売機。
【請求項８】
前記表示制御手段は、センサーの検出に基づいて、前記付加情報画像の表示手段への表示を開始することを特徴とする請求項１乃至７の何れかに記載の自動販売機。
【請求項９】
前記センサーはマイク又はカメラであり、マイクによる音検出又はカメラによる像検出に基づいて、前記付加情報画像の表示手段への表示を開始することを特徴とする請求項８に記載の自動販売機。
【請求項１０】
前記記憶手段は、前記抽選手段が抽選した付加情報の累積数量、又は残余数量数を前記購入品毎に記憶し、
前記付加情報付与手段は、抽選結果に基づいて前記記憶手段の付加情報の累積数量、又は残余数量数を更新し、当該累積数量が所定数量であるとき、又は残余数量が零であるときは、付加情報を付与しないことを特徴とする請求項３乃至９の何れかに記載の自動販売機。
【請求項１１】
前記記憶手段は、購入品毎に有効期間を設定情報として記憶し、
前記付加情報付与手段は、前記有効期間内であるときは付加情報を付与し、前記有効期間前、又は有効期間後であるときは付加情報を付与しないことを特徴とする請求項３乃至１０の何れかに記載の自動販売機
【請求項１２】
前記付加情報画像は二次元コードであることを特徴とする、請求項５乃至１１の何れかに記載の自動販売機。
【請求項１３】
自動販売機が付与した付加情報を認証して応募の受け付けを行う応募受付手段と、
前記応募の中から抽選を行う応募抽選手段と、
前記応募抽選手段の抽選結果を出力する抽選結果出力手段とを備えたことを特徴とすることを特徴とする応募管理装置。
【請求項１４】
前記応募受付手段は、入力した付加情報と自動販売機が設定した付加情報とを照合することによって応募の受け付けを行うことを特徴とする、請求項１３に記載の応募管理装置。
【請求項１５】
前記応募受付手段は、
携帯端末から付加情報画像を取得し、この取得した付加情報画像から付加情報を抽出することを特徴とする、請求項１３又は１４に記載の応募管理装置。
【請求項１６】
携帯端末が送信した付加情報画像を受信サーバを介して取得する応募管理サーバを備え、当該応募管理サーバは、携帯端末が送信した付加情報画像、又は付加情報画像から得られた付加情報を取得することを特徴とする、請求項１３乃至１５の何れかに記載の応募管理装置。
【発明の詳細な説明】
【技術分野】
【０００１】
本発明は、表示手段を備えた自動販売機、及び自動販売機を利用して行う応募を管理する応募管理装置に関する。
【背景技術】
【０００２】
一般に、利用実績に応じて利用者（消費者）に景品等を還元することで、商品販売を促進させる手法が知られている。この販売手法は、販売店の他自動販売機にも適用されている。自動販売機は、通常個々に独立した装置として設置される。そのため、各商品に応募シールを貼り付けておき、利用者（消費者）はこの応募シールを所定の応募用紙に貼り付けて郵送することで応募を行う。
【０００３】
この応募シールによる応募は、利用者にとっては、応募シールを所定の応募用紙に貼り付けて郵送するという手間を要し、他方、商品の販売者にとっては、処理に応募シールを貼り付ける作業、郵送された応募シールの枚数をチェックする等の作業を要し、手間や費用がかさむという問題点がある。
【０００４】
また、応募シールの種類を増やした場合は、生産コストが増加する他、商品と応募シールとを対応つける応募シール管理が複雑になるという問題点がある。
【０００５】
そこで、応募シールを所定に応募用紙に貼り付けて郵送する等の利用者に手間をかけずに、自動販売機の利用実績に応じて利用者にポイントを加算する、自動販売機の利用者実績方法及び利用実績加算システムが提案されている。
【０００６】
この自動販売機の利用者実績方法では、自動販売機に通信機能を持たせることによって、データセンタとネットワークで結び、自動販売機で取得した各利用者の商品購入情報を値とネットワークを介してデータセンタへ送信し、各利用者の商品購入情報に基づいて利用実績データの加算処理を行い、加算処理された利用実績データをデータセンタからネットワークを介して自動販売機に配信している。（特許文献１参照）
【特許文献１】特開２００２−４２２１２号
【発明の開示】
【発明が解決しようとする課題】
【０００７】
応募シールを商品に貼り付ける手法では、上記したように、応募シールという物自体を管理するために、販売者に係わる作業やコストが大きいという問題がある他、また、応募シールの有効期間が切れた場合には、商品に無効となった応募シールが貼り付けられたままとなるといった問題がある他、応募シールに有効期間を印刷した場合には、有効期間を延長するといった期限を自由に変更することができないという問題など、応募シールの有効期間を容易に管理できないという問題がある。
【０００８】
また、この応募シールを用いることによる物理的な問題を解消するために、自動販売機をデータセンタとの間をネットワークで結ぶことで応募シールを不要とすることが、前記文献等において提案されているが、この方法は、利用者の顧客情報がデータセンタを予め登録されていることを前提としているため、データセンタに顧客情報が登録されていない場合には、利用者はパソコンや携帯端末を使って登録に必要な各種情報を送信して登録操作を行う必要がある。
【０００９】
また、各自動販売機はネットワークを介してデータセンタと接続されることが必要であり、自動販売機がネットワークに接続されていない場合には、応募することができないという問題がある。
【００１０】
そこで、本発明は、前記した課題を解決して、応募シール等の物理的なシールを用いることなく、商品やサービスの利用に応じた応募を可能とし、また、応募自体や応募の有効期間の管理を容易とすることを目的とする。
【００１１】
また、自動販売機からの応募をネットワークを介することなく行うことを目的とする。
【課題を解決するための手段】
【００１２】
本発明の自動販売機は、購入情報に基づいて付加情報を付与する付加情報付与手段と、付与した付加情報を表示することができる表示手段及び表示制御手段を備える。なお、本発明の自動販売機が販売する販売品は、商品等の有形物に限らずサービス等の無形物の提供を含むものである。
【００１３】
本発明の自動販売機は、利用者によって商品あるいはサービスが選択され、その商品やサービスの購入操作が行われると、自動販売機は商品やサービスを提供すると共に、この購入操作に伴って付加情報を表示手段に表示する。
【００１４】
付加情報は従来の応募シールに相当するものであり、この付加情報を応募条件として景品や特典サービスを提供する応募キャンペーンに応募することができる。この付加情報を取得した利用者は、この付加情報を用いて応募を行い、応募によりあるいは応募による抽選結果により、所定の景品や特典サービスの供与を受けることができる。
【００１５】
本発明の自動販売機は、購入操作に伴って購入情報を生成し、この購入情報に基づいて付加情報を付与して表示手段上に表示する。利用者は、表示手段上に表示された付加情報を取得し、取得した付加情報を用いて、所定の景品や特典サービスの供与を受けるべく応募を行う。
【００１６】
利用者は、応募シールに相当する付加情報を取得し、この付加情報と共に応募管理装置等の応募の管理を行う機構に送ることで応募することができる。応募管理装置は、送られた付加情報を確認することで、応募条件を満足しているか否かを判定し、応募条件を満たしている場合には、応募抽選を行って、特定の景品や特典サービスを応募者に供与するか否かを決定する。
【００１７】
応募を行うためには、複数の付加情報が設定される場合があり、定められた組み合わせの付加情報がそろって初めて応募を行うことができる。利用者は、応募に要する付加情報を全て集めた段階で応募を行うことになる。
【００１８】
自動販売機の表示手段上には、応募するために充分な付加情報を全て表示する場合の他、その一部のみを表示する場合がある。利用者は、自動販売機から応募に必要な付加情報をそろえるには、自動販売機で複数回の購入を行って複数の付加情報を取得することで、応募に必要な付加情報を収集し、応募に必要な全ての付加情報がそろった段階で応募を行う。
【００１９】
自動販売機では、表示手段に表示する付加情報の種類や数量を設定情報として定めておく。抽選手段は、この設定情報に基づいて、表示手段に表示する付加情報の種類や数量を抽選し、抽選で定まった付加情報を表示手段上に表示する。
【００２０】
例えば、ある商品について応募キャンペーンが設定されている場合には、この応募キャンペーンに参加するための応募条件として、複数種類の付加情報や、その付加情報の必要数量が設定される。このように応募条件として付加情報の種類や数量が設定されている場合には、これらの応募条件に要する付加情報の内で、どの付加情報を表示するか、いくつの付加情報を表示するか等を設定情報として設定しておき、抽選手段はこの設定情報に基づいて表示手段に表示する付加情報を選択する。
【００２１】
利用者は、各購入時に自動販売機の表示手段上に表示された付加情報を取得し、取得した付加情報が設定された種類や個数が、応募条件を満足した場合には、応募を行うことができる。
【００２２】
付加情報付与手段は、購入情報を受けて付加情報を付与する。付加情報付与手段は、付与する付加情報の種類及び／又は数量を抽選で定める抽選手段を含んでいる。この抽選手段は、所定の抽選処理を行い、その抽選結果に基づいて利用者に供与する付加情報の種類や数量を定める。
【００２３】
応募シールに相当する付加情報は、自動販売機が備える表示手段上に表示され、利用者はこの表示手段上に表示された付加情報を、例えば携帯端末の撮像手段（カメラ機能）で読み取ることによって取得することができる。
【００２４】
したがって、本発明は、従来の応募シール等の商品に貼り付ける物品を要さないため、物理的シールを貼り付ける作業や、シールの種類を増やした場合等における商品の補充作業を不要とすることができ、また、付加情報の有効期間の管理を容易に行うことができる。
【００２５】
付加情報付与手段は、付加情報の種類、数量、及び抽選条件を含む設定情報を記憶する記憶手段を備える。抽選手段は、購入情報に基づいて、記憶手段が記憶する設定情報から、購入した商品又はサービスの購入品に対応して設定された付加情報の種類、数量、及び抽選条件を読み出し、抽選条件に基づいて付加情報の種類及び／又は数量を抽選し、抽選した付加情報を付与する。
【００２６】
抽選条件は、抽選する付加情報の種類又は種類の組み合わせや、抽選する付加情報の数量を定める。抽選手段で抽選された付加情報は、表示手段上に表示される。
【００２７】
付加情報付与手段で付与された付加情報は、表示手段上に表示することで利用者に供与される。付加情報の表示は、付加情報から付加情報画像を生成し、生成した付加情報画像を表示手段上に画像によって表示する。
【００２８】
付加情報付与手段又は表示制御手段は、付与された付加情報を用いて付加情報画像を生成し、表示制御手段はこの付加情報画像を表示手段に表示する。
【００２９】
抽選条件に複数の付加情報が設定されており、抽選手段によって複数の付加情報が抽選されると、表示制御手段は表示手段上に複数種の付加情報や複数個の付加情報の画像を表示する。この場合には、付加情報付与手段又は表示制御手段は、複数の付加情報から複数の付加情報画像を生成し、表示制御手段は、生成した複数の付加情報画像を同時又は順次所定時間を開けて表示手段に表示する。
【００３０】
表示手段上に表示された付加情報の画像は、携帯端末が備える撮像手段（カメラ機能）によって読み取ることができる。携帯端末は、取得した付加情報を応募条件として応募を行う。応募は、携帯端末が備える通信機能を利用して受信サーバや応募サーバに接続し、付加情報を送る等によって応募を行う。
【００３１】
表示手段上に表示された付加情報の画像を携帯端末の撮像手段に読み取らせる場合には、一つの付加情報は１回のみ取得可能とし、複数回の取得ができないように取得回数を制限することや、購入を行った利用者のみに画像の取得を許容し、第３者による取得を制限することが、付加情報の管理、及び、付加情報を用いた応募の管理の面から求められる。
【００３２】
そこで、表示制御手段は、付加情報画像の表示を開始した後、この付加情報画像を所定時間表示し、所定時間経過した後、この付加情報画像の表示を終了することによって、取得回数を制限して、一つの付加情報は１回のみ取得可能とし、複数回の取得ができないようにする。
【００３３】
また、表示制御手段は、センサーの検出に基づいて、付加情報画像の表示手段への表示を開始することによって、購入を行った利用者のみに画像の取得を許容し、第３者による取得を制限する。このセンサーはマイク又はカメラとすることができ、マイクによる音検出又はカメラによる像検出に基づいて、付加情報画像の表示手段への表示を開始する。
【００３４】
また、付加情報付与手段は、発行する付加情報の管理を行う。付加情報の管理は、抽選手段が抽選した付加情報の累積数量あるいは残余数量数を購入品毎に記憶手段に記憶し、付加情報付与手段は、抽選結果に基づいてこの記憶手段の付加情報の累積数量、又は残余数量数を更新し、累積数量が所定数量であるとき、又は残余数量が零であるときは、付加情報を付与せず、累積数量が所定数量以下であるとき、又は残余数量が零でないときは、付加情報の付与を行う。
【００３５】
また、付加情報の有効期間の管理は、記憶手段に購入品毎に有効期間を設定情報として記憶し、付加情報付与手段において、有効期間内であるときは付加情報を付与し、有効期間前、又は有効期間後であるときは付加情報を付与しないことで行うことができる。
【００３６】
表示手段に付加情報を表示させるために、付加情報画像は二次元コードを用いることができる。
【００３７】
また、本発明は応募管理装置の態様を備える。応募管理装置は、自動販売機が付与した付加情報を認証して応募の受け付けを行う応募受付手段と、応募の中から抽選を行う応募抽選手段と、応募抽選手段の抽選結果を出力する抽選結果出力手段とを備える。
【００３８】
応募受付手段は、入力した付加情報と自動販売機が設定した付加情報とを照合することによって応募の受け付けを行い、携帯端末から付加情報画像を取得し、この取得した付加情報画像から付加情報を抽出する。
【００３９】
また、携帯端末が送信した付加情報画像を受信サーバを介して取得する応募管理サーバを備える。応募管理サーバは、携帯端末が送信した付加情報画像、又は付加情報画像から得られた付加情報を取得する。
【００４０】
本発明の形態によれば、商品やサービスを購入したことに基づいて行う応募を、自動販売機が備えるモニター等の表示画面上に表示した画像を応募シールとして用いることによって、商品等に貼り付ける物理的なシールを用いることなく行うことができる。
【００４１】
表示画面上に表示する応募シールとしての付加情報は、自動販売機側に設定する設定情報に基づいて任意に設定することができるため、種々の商品やサービスに対応することができ、また各種応募キャンペーンに対応することができる。また、付加情報を応募シールとして利用することができる有効期間についても、設定情報を書き換えることで任意に変更することができる。
【００４２】
また、応募シールとして発行する付加情報の個数管理についても、自動販売機が備える付加情報付与手段内の記憶手段に、発行済みの数量あるいは未発行数量等を、付加情報を発行する毎に更新することで、容易に行うことができる。
【発明の効果】
【００４３】
本発明によれば、応募シール等の物理的なシールを用いることなく、商品やサービスの利用に応じた応募を行うことができる。
【００４４】
また、応募自体や応募の有効期間の管理を容易に行うことができる。
【発明を実施するための最良の形態】
【００４５】
以下、本発明の実施の形態について、図を用いて詳細に説明する。
【００４６】
図１は本発明の自動販売機の概略構成、及び応募管理装置の概略構成を説明するための図であり、図２は自動販売機が備える付加情報付与手段の概略構成を説明するための図である。
【００４７】
図１において、自動販売機１０はモニター等の表示手段１１を備える自動販売機であり、商品あるいはサービスを販売するために自動販売機が通常備える構成と、応募シールとしての付加情報を付与し、表示手段１１に表示するための構成とを備える。
【００４８】
本発明の自動販売機１０は、有形物の商品を販売する他、無形物のサービスを販売することもできるが、以下では主に商品販売を例として説明する。
【００４９】
自動販売機１０が通常備える構成としては、投入された硬貨や紙幣等の貨幣について、その貨幣の種類や数を識別する他、その貨幣が正当なものであるかの判定を行う貨幣識別手段１２、購入する商品やサービスを選択する選択手段１３、貨幣識別手段１２で識別された貨幣の種別と数、並びに選択手段１３で選択された商品に基づいて、選択された商品の販売や、釣り銭の計算及び釣り銭の支払い等の自動販売機が通常行う販売動作を制御する販売機制御手段１４、販売機制御手段１４からの制御信号に基づいて、選択された商品をストック部から取り出して取り出し口（図示していない）に搬出したり、釣り銭を釣り銭口に支払う等の販売機の各種駆動機構を駆動する販売機駆動手段１５を備える。
【００５０】
また、本発明の自動販売機１０は、モニター等の表示手段１１と、この表示手段１１での表示を制御する表示制御手段１７を備える。表示手段１１は、例えば液晶パネルの他、任意の表示装置を用いることができる。
【００５１】
また、本発明の自動販売機１０は、応募シールとしての付加情報を付与する機構として、付加情報付与手段１６を特徴的に備える。付加情報付与手段１６は、販売機制御手段１４からの購入情報に基づいて付加情報を付与し、この付加情報を表示制御手段１７を介して表示手段１１に付加情報画像によって表示する。
【００５２】
付加情報は、応募シールに代わるものとして電子的に生成して、付加情報画像１００として表示手段１１に表示する。利用者は、表示手段１１に表示された付加情報画像１００を、携帯端末２０等が備える撮像手段２１（携帯端末のカメラ機能）によって取得し、付加情報抽出手段２２によって撮像手段２１で取得した付加情報画像１０１から付加情報を抽出し、抽出した付加情報を通信手段２３を介して応募側に送信する。
【００５３】
応募側では、携帯端末から送信された付加情報を取得し、この付加情報の取得によって応募を受け付けて、応募処理を行う。
【００５４】
応募側での付加情報の受理は、携帯端末２０から送信された付加情報を、受信サーバ４０で受信した後に応募管理装置３０に送る他に、応募管理装置３０を受信サーバの機能を備えた応募管理サーバとして、携帯端末２０から付加情報を直接に受信する構成としてもよい。
【００５５】
応募管理装置３０は、携帯端末２０から送信される付加情報、あるいは受信サーバ４０を介して送られる付加情報を受け付ける。応募管理装置３０は、この付加情報の受け付けを、応募キャンペーンへの応募として扱って応募処理を行う。応募管理装置３０は、この付加情報を受信することで行う応募を受け付ける応募受付手段３１、受け付けた応募の中から抽選を行う応募抽選手段３２、応募抽選手段３２の抽選結果を出力する抽選結果出力手段３３を備える。
【００５６】
次に、図２を用いて、付加情報付与手段についてより詳細な構成例を説明する。図２において、付加情報付与手段１６は、付加情報付与制御手段１６ａ、設定情報記憶手段１６ｂ、抽選手段１６ｃ、及び付加情報画像生成手段１６ｄを備える。
【００５７】
設定情報記憶手段１６ｂは、応募シールとしての付加情報に関して設定した各種情報を記憶する。設定情報記憶手段１６ｂには、付加情報、有効期間、抽選条件等の設定情報の他に、発行済みの付加情報が記憶される。
【００５８】
抽選手段１６ｃは、設定情報記憶手段１６ｂに記憶されている抽選条件を読み出して、表示手段に表示する付加情報を抽選する。
【００５９】
付加情報画像生成手段１６ｄは、抽選手段１６ｃで抽選して選び出した付加情報から付加情報画像を生成し、表示手段１１で表示可能なデータに変換する。表示制御手段１７は、付加情報画像生成手段１６ｄからの付加情報画像を表示手段１１に表示する。
【００６０】
付加情報付与制御手段１６ａは、前記した設定情報記憶手段１６ｂ、抽選手段１６ｃ、及び付加情報画像生成手段１６ｄの制御を行う。付加情報付与制御手段１６ａは、販売機制御手段１４から購入情報を取得すると、この購入情報に基づいて、設定情報記憶手段１６ｂから購入された商品あるいはサービスに設定されている設定情報を読み出し、この抽選条件に基づいて抽選手段１６ｃに抽選を行わせて、表示手段１１に表示する付加情報を選出する。
【００６１】
付加情報付与制御手段１６ａは、抽選により得られた付加情報を付加情報画像生成手段１６ｄに送って、表示手段１１に表示可能なデータ形式である付加情報画像を生成させる。
【００６２】
なお、図２に示す構成例では、付加情報画像の生成を付加情報付与手段１６内に設けた付加情報画像生成手段１６ｄで行っているが、この付加情報画像の生成は表示制御手段１７内で行う構成としてもよい。
【００６３】
図３は、設定情報記憶手段１６ｂに記憶される設定情報の一例である。
【００６４】
設定情報としては、表示手段に表示する付加情報に係わるものとして、その付加情報の種類、数量（初期設定の数量）、これらの種類や数量のうちの何れを、表示手段に表示させる付加情報とするかを抽選手段に抽選させるための条件を定めた抽選条件、これら付加情報の有効期間等を含んでいる。また、設定情報記憶手段１６ｂは前記した定情報の他に、抽選手段で抽選されて表示手段に表示された付加情報の種類や発行結果が記憶される。発行結果としては、例えば、既に発行した数量である累計数量、あるいは初期設定数量から発行済みの累計数量を差し引いた残余数量等とすることができる。付加情報制御手段１６ａは、この累計数量あるいは残余数量を監視することによって、付加情報の抽選を行うか行わないかを判定し、付加情報の発行を管理することができる。
【００６５】
図３に示す設定情報では、例えば、商品名“Ａ０００１”の商品には、種類Ａ，Ｂ，Ｃの３種類の付加情報が設定され、それぞれ初期数量としてnA1，nB1，nC1が設定され、有効期間が設定されている。
【００６６】
したがって、付加情報制御手段１６ａは、この有効期間に設定されている期間内において付加情報を表示手段１１に表示し、期間外では付加情報の表示を行わない。また、種類Ａの付加情報の場合には、初期数量としてnA1が設定されており、有効期間内において種類Ａの付加情報を初期数量nA1だけ発行することができる。
【００６７】
なお、付加情報の種類Ａ，Ｂ，Ｃは、応募によって供与される景品や特典サービスに対応させることができ、例えば、種類Ａの付加情報を所定数量集めることによって、種類Ａに定められた景品や特典サービスの供与を受けることができる。種類Ｂや種類Ｃの付加情報についても同様であり、種類Ｂや種類Ｃの付加情報を、予め設定された所定数量集めることによって、種類Ｂや種類Ｃに定められた景品や特典サービスの供与を受けることができる。
【００６８】
さらに、表示手段に表示する付加情報を抽選する際に抽選条件が設定される。この抽選条件には、表示手段に表示する付加情報の種類と数量の最大値が設定される。抽選手段は、この抽選条件に設定される最大の種類数以下の付加情報の種類を抽選し、また、抽選条件に設定される最大の数量以下の付加情報の数量を抽選する。
【００６９】
例えば、商品名“Ａ０００１”の商品には、抽選条件において、最大種類数として“１”が設定され、最大数量として“１”が設定されており、抽選手段は、種類Ａ，Ｂ，Ｃの３種類の付加情報から、最大１種類の付加情報を抽選し、その種類の付加情報として最大１個を抽選する。図４（ａ）はこのときの表示例を示している。(a-1)の表示例では、種類Ａの付加情報が１個だけ表示され、(a-2)の表示例では、種類Ｂの付加情報が１個だけ表示される。
【００７０】
また、商品名“Ａ０００２”の商品には、抽選条件において、最大種類数として“２”が設定され、最大数量として“１”が設定されており、抽選手段は、種類Ａ，Ｂ，Ｃの３種類の付加情報から、最大で２種類の付加情報を抽選し、その種類の付加情報として最大１個を抽選する。図４（ｂ）はこのときの表示例を示している。（b-1）の表示例では、種類Ａ，Ｂの付加情報が選択されそれぞれ１個だけ表示され、（b-2）の表示例では、種類Ａ，Ｃの付加情報が選択されそれぞれ１個だけ表示される。
【００７１】
また、サービス名“Ｓ０００３”のサービスには、抽選条件において、最大種類数として“１”が設定され、最大数量として“２”が設定されており、抽選手段は、種類Ａ，Ｂ，Ｃの３種類の付加情報から、最大で１種類の付加情報を抽選し、その種類の付加情報として最大２個を抽選する。図４（ｃ）はこのときの表示例を示している。（c-1）の表示例では、種類Ａの付加情報が選択されて１個だけ表示され、(c-2)の表示例では、種類Ａの付加情報が選択され２個表示される。また、（c-3）の表示例では、種類Ｂの付加情報が選択されて２個表示され、(c-4)の表示例では、種類Ｃの付加情報が選択され２個表示される。
【００７２】
また、サービス名“Ｓ０００４”のサービスには、抽選条件において、最大種類数として“２”が設定され、最大数量として“３”が設定されており、抽選手段は、種類Ａ，Ｂ，Ｃの３種類の付加情報から、最大で２種類の付加情報を抽選し、その種類の付加情報として最大３個を抽選する。
【００７３】
図４（ｄ）はこのときの表示例を示している。（d-1）の表示例では、種類Ａと種類Ｂの付加情報が選択され、種類Ａの付加情報については３個表示され、種類Ｂの付加情報については３個表示される。(d-2)の表示例では、種類Ａと種類Ｂの付加情報が選択され、種類Ａの付加情報については２個表示され、種類Ｂの付加情報については３個表示される。(d-3)の表示例では、種類Ａと種類Ｃの付加情報が選択され、種類Ａの付加情報については１個表示され、種類Ｃの付加情報については３個表示される。また、(d-4)の表示例では、種類Ｂと種類Ｃの付加情報が選択され、種類Ｂの付加情報については３個表示され、種類Ｃの付加情報については２個表示される。
【００７４】
上記例のように、抽選手段は、予め設定された種類の付加情報の中から、抽選条件に設定される付加情報の種類の最大数以下の付加情報を抽選し、同じく抽選条件に設定される付加情報の最大個数以下の付加情報を、各種類から抽選する。
【００７５】
前記設定情報に設定する、付加情報の初期数量や、抽選条件に設定する種類や数量は、応募によって利用者に供与する景品や特典サービスの全数量や、自動販売機が設置される地域等の応募キャンペーンが目的とする販売戦略等に応じて任意に設定することができる。この設定情報は、各自動販売機の設定情報記憶手段１６ｂのデータを書き換えることで、種々の応募キャンペーンに対応させることができる。
【００７６】
利用者は、表示手段１１に表示される付加情報を取得し、応募キャンペーンに定められている種類と数量の付加情報を収集して応募を行う。応募は、付加情報を応募管理装置３０に送ることで行うことができる。
【００７７】
表示手段１１に表示される付加情報の取得は、例えば、携帯端末２０が備えるカメラ機能等の撮像手段２１によって表示像１００を撮像することで行うことができる。撮像手段２１で撮像した画像１０１に含まれる付加情報は、付加情報抽出手２２によって抽出され、通信手段２３により、受信サーバ４０を介して、あるいは応募管理装置３０が備える応募管理サーバ（図１には示していない）を通して応募管理装置３０に送られて、応募処理が行われる。
【００７８】
携帯端末が備える撮像手段による付加情報画像の取得は、複数の態様で行うことができる。
【００７９】
第１の態様は、表示手段上に付加情報画像を表示する表示時間を制限する態様であり、これによって、付加情報が複数回取得されることを防ぐ他に、第３者によって付加情報が不正に取得されることを防ぐ。
【００８０】
この第１の態様について、図５のフローチャートを用いて説明する。自動販売機に貨幣が投入されると、貨幣識別手段１２は投入された貨幣が真正なものであるかを判定すると共に、その貨幣に種類を識別する(S1)。選択手段１３によって購入する商品やサービスが選択されると(S2)、販売機制御手段１４は、販売機駆動手段１５を駆動して商品あるいはサービスを利用者に提供すると共に、購入情報を付加情報付与手段１６に送って付加情報の付与を行う。
【００８１】
付加情報付与手段１６は、設定情報記憶手段１６ｂを参照して付加情報が設定されているかを判定する(S3)。
【００８２】
付加情報が設定されていない場合には処理を終了する。付加情報が設定されている場合には、設定情報を取得し(S4)、設定情報中の有効期間、及び発行情報を参照して、付加情報の付与を行うか否かを判定する。例えば、現在の日付が有効期間内であり、発行情報中に記憶される累積数量が初期数量よりも少ない場合、あるいは残余数量が設定されている場合には、その残余数量が“０”でない場合には付加情報の付与を行い、一方、現在の日付が有効期間外であったり、発行情報中に記憶される累積数量が初期数量と同数である場合、あるいは残余数量が“０”である場合には付加情報の付与を行わない(S5)。
【００８３】
付加情報の付与は、抽選手段１６ｃにおいて、付加情報の種類と抽出条件に基づいて、付加情報を抽選して、表示手段１１に表示する付加情報の種類と数量を定める(S6)。
【００８４】
付加情報画像生成手段１６ｄは付加情報から付加情報画像を生成する(S7)。表示制御手段１７は、付加情報画像を受け取り、タイマに計時を開始する(S8)。表示制御手段１７は、表示手段１１への付加情報画像の表示を開始する(S9)。表示制御手段１７は、タイマの計時が、予め設定された設定時間を経過したか否かを監視する(S10)。
【００８５】
表示手段１１の付加情報画像の表示を開始してからの経過時間が設定時間を過ぎた場合には、表示制御手段１７は付加情報画像の表示を終了する(S11)。
【００８６】
表示時間としては、例えば、利用者が携帯端末のカメラ等の撮像手段が表示手段１１に表示された付加情報画像を撮像するに十分な時間を設定し、この設定時間が経過したときに、付加情報画像の表示を停止する。
【００８７】
この構成によれば、表示手段上に表示される付加情報の表示時間を、撮像手段によって１回撮像するに十分な時間に設定することで、付加情報画像が複数回取得されることを防ぐことができる。
【００８８】
さらに、上記した付加情報画像の表示時間を制限する態様において、付加情報画像に時刻情報を付加しておき、同一の自動販売機からの複数の応募が重複したとき、これらの時刻情報を比較して、その時間差が前記した設定時間内である場合には、表示手段１１に表示された付加情報を複数回撮像したものと認定して、付加情報の取得は１回と判定するなどの処置を行うことができる。
【００８９】
次に、第２の態様は、表示手段上に表示する付加情報画像を、撮像手段の動作音の検出により終了する態様であり、これによって、付加情報が複数回取得されることを防ぐ他に、第３者によって付加情報が不正に取得されることを防ぐ。
【００９０】
この第２の態様について、図６のフローチャートを用いて説明する。なお、図６に示すフローチャートは、前記した図５のフローチャート中のS8〜S10の経過時間によって表示時間を制限する処理に代えて、図６のフローチャート中でS28〜S31の撮像音によって表示時間を制限する処理とする点で相違し、その他の工程は同様である。
【００９１】
以下、S28〜S31の工程についてのみ説明する。表示制御手段１７は、生成された付加情報画像の表示手段１１への表示を開始し(S28)、自動販売機に設けたマイク等によって撮像手段が撮像して際に撮像音を検出する。一般に、携帯端末が備える撮像手段は、撮像時にカメラのシャッタ音に模した音を発生する。この撮像音を検出することによって、付加情報画像を取得したことを検出する(S29)。
【００９２】
表示制御手段１７は、撮像音を検出した場合には、表示手段１１への付加情報画像の表示を終了する(S30)。また、表示制御手段１７は、撮像音を検出しない場合には、設定時間が経過した後(S31)、表示手段１１への付加情報画像の表示を終了する(S30)。
【００９３】
次に、第３の態様は、表示手段上に加情報画像を表示する際に、撮像手段の位置を検出し、表示手段において、撮像手段がある位置に付加情報画像を表示する態様であり、これによって、第３者によって付加情報が不正に取得されることを防ぐ。
【００９４】
この第３の態様について、図７の動作例の図、及び図８のフローチャートを用いて説明する。なお、図８に示すフローチャートは、前記した図５のフローチャート中のS8のタイマによる計時に代えて、図８のフローチャート中でS48，S49の撮像手段の位置検出によって付加情報画像の表示位置を制限する処理とする点で相違し、その他の工程は同様である。
【００９５】
図７では、表示手段１１の下方位置にセンサー１８ａ〜１８ｃを配置し、撮像手段（図では携帯端末２０の例を示している）の検出する構成例を示している。
【００９６】
このセンサー１８の何れか（図７（ａ）ではセンサー１８ｃ）が携帯端末２０を検出すると、表示制御手段１７は、表示手段１上の検出したセンサー１８ｃの近傍位置に付加情報画像を表示する（図７（ｂ））。また、センサー１８ｂが携帯端末２０を検出すると、表示制御手段１７は、表示手段１上の検出したセンサー１８ｂの近傍位置に付加情報画像を表示する（図７（ｃ））。
【００９７】
第３の態様の動作を、図８のS48〜S52の工程についてのみ説明する。表示制御手段１７は、撮像手段の位置を検出し(S48)、撮像手段の位置が検出された場合には(S49)、表示手段１１への付加情報画像の表示を開始する(S50)。表示制御手段１７は、予め設定された設定時間を経過したか否かを監視する(S51)、表示手段１１の付加情報画像の表示を開始してからの経過時間が設定時間を過ぎた場合には、表示制御手段１７は付加情報画像の表示を終了する(S52)。
【００９８】
これによって、利用者が撮像手段（携帯端末）を構えた位置に付加情報画像を表示することができるため、第３者が不正に付加情報画像を取得することを防ぐことができる。
【産業上の利用可能性】
【００９９】
本発明の自動販売機は、商品等の有形物の販売の他、サービス等の無形物の販売についても適用することができる。
【図面の簡単な説明】
【０１００】
【図１】本発明の自動販売機の概略構成、及び応募管理装置の概略構成を説明するための図である。
【図２】本発明の自動販売機が備える付加情報付与手段の概略構成を説明するための図である。
【図３】本発明の自動販売機が備える設定情報記憶手段に記憶される設定情報の一例である。
【図４】本発明の自動販売機の表示例を説明するための図である。
【図５】本発明の自動販売機による付加情報の表示の第１の態様を説明するためのフローチャートである。
【図６】本発明の自動販売機による付加情報の表示の第２の態様を説明するためのフローチャートである。
【図７】本発明の自動販売機による付加情報の表示の第３の態様を説明するための動作図である。
【図８】本発明の自動販売機による付加情報の表示の第３の態様を説明するためのフローチャートである。
【符号の説明】
【０１０１】
１０  自動販売機
１１  表示手段
１２  貨幣識別手段
１３  選択手段
１４  販売機制御手段
１５  販売機駆動手段
１６  付加情報付与手段
１６ａ  付加情報付与制御手段
１６ｂ  設定情報記憶手段
１６ｃ  抽選手段
１６ｄ  付加情報画像生成手段
１７  表示制御手段
１８  センサー
２０  携帯端末
２１  撮像手段
２２  付加情報抽出手段
２３  通信手段
３０  応募管理装置
３１  応募受付手段
３２  応募抽選手段
３３  応募結果出力手段
１００，１０１  付加情報画像
【図１】
2006277095.tif 000003
【図２】
2006277095.tif 000004
【図３】
2006277095.tif 000005
【図４】
2006277095.tif 000006
【図５】
2006277095.tif 000007
【図６】
2006277095.tif 000008
【図７】
2006277095.tif 000009
【図８】
2006277095.tif 000010